(57)【要約】【課題】電源に対する負荷を低減するとともに、蓄電素子に蓄電された電力を超えて発光を行う。【解決手段】駆動制御部１１はカメラ部１０によって動画撮影が行われる際、蓄積素子４と電源５、電源および蓄積素子と発光素子２との接続を非接続して、電源の電圧を所定の昇圧電圧まで昇圧する。所定の昇圧電圧まで昇圧されると、駆動制御部は昇圧電圧を発光素子に印加して発光素子を発光させる発光制御を行い、露光が行われていない期間で電源を蓄積素子に接続して充電制御を行う。駆動制御部は発光制御および充電制御を交互に行って蓄積素子の電圧が所定の充電電圧となると、蓄積素子と発光素子とを接続して発光素子を発光させる。【選択図】図１
2015052646.tif 000002
【特許請求の範囲】
【請求項１】
電源から電力を供給されて当該電力を蓄積する蓄積素子と、前記蓄積素子から電力が供給されて発光する発光素子とを備える発光装置であって、
被写体を撮影して画像を得る撮像手段に前記電源から電力が供給されており、
前記電源の電圧を所定の昇圧電圧に昇圧する昇圧手段と、
前記電源および前記蓄積素子から選択的に前記発光素子に電力を供給して前記発光素子を発光する発光制御を行う制御手段とを有し、
前記制御手段は、前記撮像手段によって動画撮影が行われる際、前記動画撮影が開始される前の発光準備期間において前記蓄積素子と前記電源とを非接続するとともに、前記電源および前記蓄積素子と前記発光素子との接続を非接続して、前記昇圧手段によって前記電源の電圧を所定の昇圧電圧まで昇圧し、前記昇圧手段によって所定の昇圧電圧まで昇圧されると、前記昇圧電圧を前記発光素子に印加して前記発光素子を発光させる発光制御を行い、前記撮像手段による露光が行われていない期間において前記電源を前記蓄積素子に接続して前記蓄積素子を充電する充電制御を行い、前記発光制御および前記充電制御を交互に行って、前記蓄積素子の電圧が所定の充電電圧となると、前記蓄積素子と前記発光素子とを接続して前記発光素子を発光させることを特徴とする発光装置。
【請求項２】
前記制御手段は、前記撮像手段によって静止画撮影が行われる際、前記電源と前記蓄積素子とを接続して前記蓄積素子の充電を行った後、前記電源が前記蓄積素子に接続された状態で前記蓄積素子と前記発光素子とを接続して前記発光素子を発光させることを特徴とする請求項１に記載の発光装置。
【請求項３】
前記制御手段は、前記発光素子を発光させる前に再度、前記電源と前記蓄積素子とを接続して前記蓄積素子の充電を行うことを特徴とする請求項２に記載の発光装置。
【請求項４】
前記昇圧手段は、前記電源と前記蓄積素子との間に配置されていることを特徴とする請求項１〜３のいずれか１項に記載の発光装置。
【請求項５】
前記昇圧手段は、前記蓄積素子の後段において前記蓄積素子と前記発光素子との間に配置されていることを特徴とする請求項１〜３のいずれか１項に記載の発光装置。
【請求項６】
被写体を撮影して画像を得る撮像手段に電源から電力が供給され、前記電源から電力を供給されて当該電力を蓄積する蓄積素子と、前記電源の電圧を所定の昇圧電圧に昇圧する昇圧手段と、前記蓄積素子から電力が供給されて発光する発光素子とを備える発光装置の制御方法であって、
前記撮像手段によって動画撮影が行われる際、前記動画撮影が開始される前の発光準備期間において前記蓄積素子と前記電源とを非接続するとともに、前記電源および前記蓄積素子と前記発光素子との接続を非接続して、前記昇圧手段によって前記電源の電圧を所定の昇圧電圧まで昇圧する第１の制御ステップと、
前記昇圧手段によって所定の昇圧電圧まで昇圧されると、前記昇圧電圧を前記発光素子に印加して前記発光素子を発光させる発光制御を行う第２の制御ステップと、
前記撮像手段による露光が行われていない期間において前記電源を前記蓄積素子に接続して前記蓄積素子を充電する充電制御を行う第３の制御ステップと、
前記発光制御および前記充電制御を交互に行って、前記蓄積素子の電圧が所定の充電電圧となると、前記蓄積素子と前記発光素子とを接続して前記発光素子を発光させる第４の制御ステップと、
を有することを特徴とする制御方法。
【請求項７】
被写体を撮影して画像を得る撮像手段に電源から電力が供給され、前記電源から電力を供給されて当該電力を蓄積する蓄積素子と、前記電源の電圧を所定の昇圧電圧に昇圧する昇圧手段と、前記蓄積素子から電力が供給されて発光する発光素子とを備える発光装置で用いられる制御プログラムであって、
前記発光装置が備えるコンピュータに、
前記撮像手段によって動画撮影が行われる際、前記動画撮影が開始される前の発光準備期間において前記蓄積素子と前記電源とを非接続するとともに、前記電源および前記蓄積素子と前記発光素子との接続を非接続して、前記昇圧手段によって前記電源の電圧を所定の昇圧電圧まで昇圧する第１の制御ステップと、
前記昇圧手段によって所定の昇圧電圧まで昇圧されると、前記昇圧電圧を前記発光素子に印加して前記発光素子を発光させる発光制御を行う第２の制御ステップと、
前記撮像手段による露光が行われていない期間において前記電源を前記蓄積素子に接続して前記蓄積素子を充電する充電制御を行う第３の制御ステップと、
前記発光制御および前記充電制御を交互に行って、前記蓄積素子の電圧が所定の充電電圧となると、前記蓄積素子と前記発光素子とを接続して前記発光素子を発光させる第４の制御ステップと、
を実行させることを特徴とする制御プログラム。
【発明の詳細な説明】
【技術分野】
【０００１】
本発明は、発光装置、その制御方法、および制御プログラムに関し、特に、スイッチング素子の開閉によって電圧を昇圧させる昇圧チョッパ回路を備えるストロボ装置に関する。
【背景技術】
【０００２】
従来、ストロボ装置（以下単にストロボと呼ぶ）としてスイッチング素子の開閉動作に応じて電圧を昇圧する昇圧チョッパ回路を有するストロボが知られている。
【０００３】
図６は、従来のストロボ装置の一例についてその回路構成を示す図である。
【０００４】
図６において、ストロボ１０１は発光素子２を備えており、この発光素子２は駆動回路３によって駆動される。発光素子２のアノードには制限抵抗１２を介して蓄電素子（例えば、コンデンサ）４が接続され、この蓄電素子４は接地されている。蓄電素子４は電源（例えば、電池）５によって充電され、蓄電素子４と電源５との間にはインダクタ６を備える昇圧チョッパ回路８が配置されている。
【０００５】
図示の例では、ストロボ１０１には、撮像を行うためのカメラ部１０が接続されており、このカメラ部１０には電源５から動作のための電力が接続される。さらに、ストロボ１０１にはストロボ１０１を制御するための制御部１１が接続され、この制御部１１には電源５から動作のための電力が供給される。この制御部１１は駆動回路３を制御する駆動制御部１３と昇圧チョッパ回路８を制御するチョッパ制御部１４とを備えている。
【０００６】
図示のように、駆動回路３は、第１および第２のスイッチ部（以下ＣＭＯＳという）１５および１６を備えており、これら第１および第２のＣＭＯＳ１５および１６は駆動制御部１３によってオン／オフ制御（つまり、開閉制御）される。ここでは、第１および第２のＭＯＳ１５および１６のオン／オフ制御によって、電源電圧を昇圧チョッパ回路８で昇圧して蓄電素子４を充電する蓄電状態と、蓄電素子４に蓄電された電力を発光素子２に供給する発光状態とが切り替えられる（例えば、特許文献１参照）。
【０００７】
なお、昇圧チョッパ回路８はダイオード９およびスイッチング素子７を備え、チョッパ制御部１４によってスイッチング素子７がオン／オフ制御されて、昇圧チョッパ回路８は電源電圧を昇圧する。また、制限抵抗１２は発光素子２に流れる電流を制限するための抵抗である。
【０００８】
蓄電（充電）を行う蓄電状態においては、駆動制御部１３が第１のＣＭＯＳ１５のゲートにＨ（ハイレベル）信号を出力する。これによって、第１のＣＭＯＳ１５がオン（閉）となる。一方、駆動制御部１３は第２のＣＭＯＳ１６のゲートにＬ（ローレベル）信号を出力する。これによって、第２のＣＭＯＳ１６がオフ（開）となる。
【０００９】
この結果、電源５から、第１のＣＭＯＳ１５、インダクタ６、ダイオード９、および蓄電素子４で形成される閉ループに電流Ｉ１が流れ、蓄電素子４には電源５から供給される電力が蓄電される。この際、チョッパ制御部１４は急速に且つ周期的にスイッチング素子７を開閉させて、電源５の電力（つまり、電圧）を昇圧して蓄電素子４の充電を行う。
【００１０】
放電が行われる発光状態においては、駆動制御部１３は第１のＣＭＯＳ１５のゲートにＬ信号を出力する。これによって、第１のＣＭＯＳ１５がオフ（開）となる。一方、駆動制御部１３は第２のＣＭＯＳ１６のゲートにＨ信号を出力する。これによって、第２のＣＭＯＳ１６がオン（閉）となる。
【００１１】
この結果、蓄電素子４、制限抵抗１２、発光素子２、および第２のＣＭＯＳ１６で形成される閉ループに電流Ｉ２が流れ、蓄電素子４から発光素子２に電力が供給されて発光素子２が発光する。
【００１２】
ところが、図６に示すストロボ１０１においては、発光素子２を発光させた後に再度発光させる場合には、放電した蓄電素子４を再度充電する必要がある。つまり、短い間隔で（連続的に）発光を行いたい場合（言い換えると、短い間隔で（連続的に）撮像を行いたい場合）、蓄電素子４の充電が間に合わず、ユーザ所望のタイミングで撮像を行うことができない。
【００１３】
図７は、従来のストロボ装置の他の例についてその回路構成を示す図である。
【００１４】
ユーザ所望のタイミングで撮像を行うため、例えば、図７に示すストロボ１０２が用いられている（例えば、特許文献２参照）。なお、図７において、図６に示すストロボ１０１と同一の構成要素については同一の参照番号を付す。
【００１５】
図７に示すストロボ１０２においては、蓄電素子４と電池電源５とが並列に配置されており、駆動回路３は第１のＣＭＯＳ１５および第２のＣＭＯＳ１６に加えて、第３のＣＭＯＳ１７を備えている。これによって、ストロボ１０２では、次のように、蓄電素子４に充電された電力が発光素子２に供給される第１発光状態と電源５の電力を昇圧チョッパ回路８で昇圧させて発光素子２に供給する第２発光状態とを切り替えるようにしている。
【００１６】
蓄電状態においては、駆動制御部１３は第１のＣＭＯＳ１５および第３のＣＭＯＳ１７のゲートにＨ信号を出力する。これによって、第１のＣＭＯＳ１５および第３のＣＭＯＳ１７がオン（閉）となる。一方、駆動制御部１３は第２のＣＭＯＳ１６にＬ信号を出力して、第２のＣＭＯＳ１６をオフ（開）とする。
【００１７】
この結果、電源５から、第１のＣＭＯＳ１５、第３のＣＭＯＳ１７、および蓄電素子４で形成される閉ループに電流Ｉ３が流れ、蓄電素子４には電池電源５から電力が供給されて充電が行われる。
【００１８】
第１発光状態においては、駆動制御部１３は第１のＣＭＯＳ１５のゲートにＬ信号を出力して、第１のＣＭＯＳ１５をオフ（開）とする。一方、駆動制御部１３は第２のＣＭＯＳ１６および第３のＣＭＯＳ１７のゲートにＨ信号を出力して、第２のＣＭＯＳ１６および第３のＣＭＯＳ１７をオン（閉）とする。この際には、前述のように、チョッパ制御部１４は急速に且つ周期的にスイッチング素子７を開閉させて、電源５の電力（つまり、電圧）を昇圧して蓄電素子４の充電を行う。
【００１９】
この結果、蓄電素子４、第３のＣＭＯＳ１７、インダクタ６、ダイオード９、制限抵抗１２、発光素子２、および第２のＣＭＯＳ１６で形成される閉ループに電流Ｉ４が流れ、蓄電素子４から電力が発光素子２に供給されて発光素子２が発光する。
【００２０】
第２発光状態においては、駆動制御部１３は第３のＣＭＯＳ１７にＬ信号を出力して、第３のＣＭＯＳ１７をオフ（開）とする。一方、駆動制御部１３は第１のＣＭＯＳ１５および第２のＣＭＯＳ１６にＨ信号を出力して、第１のＣＭＯＳ１５および第２のＣＭＯＳ１６をＯＮ（閉）する。この際、チョッパ制御部１４は急速に且つ周期的にスイッチング素子７を開閉させて、電源５の電力（電圧）を昇圧して発光素子２に供給する。
【００２１】
つまり、電源５、第１のＣＭＯＳ１５、インダクタ６、ダイオード９、制限抵抗１２、発光素子２、および第２のＣＭＯＳ１６で形成される閉ループに電流Ｉ５が流れ、電源５から電力を発光素子２に供給されて発光素子２が発光することになる。
【先行技術文献】
【特許文献】
【００２２】
【特許文献１】特開２００７−１０８５４５号公報
【特許文献２】特開２０１１−２０３５９３号公報
【発明の概要】
【発明が解決しようとする課題】
【００２３】
ところが、図７に示すストロボ１０２において、第２発光状態では発光素子２は蓄電素子４から電力の供給を受けることができない。つまり、電源５から発光素子２に電力が供給される。このため、第２発光状態では、電源５はカメラ部１０に電力を供給するとともに、発光素子２に電力を直接的に供給する必要があり、電源５に対する負荷が大きくなってしまう。
【００２４】
さらに、第１発光状態においては、電源５から全く発光素子２に電力が供給されないので、蓄電素子４に充電された電力を超えて発光を行うことができない。
【００２５】
従って、本発明の目的は、電源に対する負荷を低減するとともに、蓄電素子に蓄電された電力を超えて発光を行うことのできる発光装置、制御方法、および制御プログラムを提供することにある。
【課題を解決するための手段】
【００２６】
上記の目的を達成するため、本発明による発光装置は、電源から電力を供給されて当該電力を蓄積する蓄積素子と、前記蓄積素子から電力が供給されて発光する発光素子とを備える発光装置であって、被写体を撮影して画像を得る撮像手段に前記電源から電力が供給されており、前記電源の電圧を所定の昇圧電圧に昇圧する昇圧手段と、前記電源および前記蓄積素子から選択的に前記発光素子に電力を供給して前記発光素子を発光する発光制御を行う制御手段とを有し、前記制御手段は、前記撮像手段によって動画撮影が行われる際、前記動画撮影が開始される前の発光準備期間において前記蓄積素子と前記電源とを非接続するとともに、前記電源および前記蓄積素子と前記発光素子との接続を非接続して、前記昇圧手段によって前記電源の電圧を所定の昇圧電圧まで昇圧し、前記昇圧手段によって所定の昇圧電圧まで昇圧されると、前記昇圧電圧を前記発光素子に印加して前記発光素子を発光させる発光制御を行い、前記撮像手段による露光が行われていない期間において前記電源を前記蓄積素子に接続して前記蓄積素子を充電する充電制御を行い、前記発光制御および前記充電制御を交互に行って、前記蓄積素子の電圧が所定の充電電圧となると、前記蓄積素子と前記発光素子とを接続して前記発光素子を発光させることを特徴とする。
【００２７】
本発明による制御方法は、被写体を撮影して画像を得る撮像手段に電源から電力が供給され、前記電源から電力を供給されて当該電力を蓄積する蓄積素子と、前記電源の電圧を所定の昇圧電圧に昇圧する昇圧手段と、前記蓄積素子から電力が供給されて発光する発光素子とを備える発光装置の制御方法であって、前記撮像手段によって動画撮影が行われる際、前記動画撮影が開始される前の発光準備期間において前記蓄積素子と前記電源とを非接続するとともに、前記電源および前記蓄積素子と前記発光素子との接続を非接続して、前記昇圧手段によって前記電源の電圧を所定の昇圧電圧まで昇圧する第１の制御ステップと、前記昇圧手段によって所定の昇圧電圧まで昇圧されると、前記昇圧電圧を前記発光素子に印加して前記発光素子を発光させる発光制御を行う第２の制御ステップと、前記撮像手段による露光が行われていない期間において前記電源を前記蓄積素子に接続して前記蓄積素子を充電する充電制御を行う第３の制御ステップと、前記発光制御および前記充電制御を交互に行って、前記蓄積素子の電圧が所定の充電電圧となると、前記蓄積素子と前記発光素子とを接続して前記発光素子を発光させる第４の制御ステップと、を有することを特徴とする。
【００２８】
本発明による制御プログラムは、被写体を撮影して画像を得る撮像手段に電源から電力が供給され、前記電源から電力を供給されて当該電力を蓄積する蓄積素子と、前記電源の電圧を所定の昇圧電圧に昇圧する昇圧手段と、前記蓄積素子から電力が供給されて発光する発光素子とを備える発光装置で用いられる制御プログラムであって、前記発光装置が備えるコンピュータに、前記撮像手段によって動画撮影が行われる際、前記動画撮影が開始される前の発光準備期間において前記蓄積素子と前記電源とを非接続するとともに、前記電源および前記蓄積素子と前記発光素子との接続を非接続して、前記昇圧手段によって前記電源の電圧を所定の昇圧電圧まで昇圧する第１の制御ステップと、前記昇圧手段によって所定の昇圧電圧まで昇圧されると、前記昇圧電圧を前記発光素子に印加して前記発光素子を発光させる発光制御を行う第２の制御ステップと、前記撮像手段による露光が行われていない期間において前記電源を前記蓄積素子に接続して前記蓄積素子を充電する充電制御を行う第３の制御ステップと、前記発光制御および前記充電制御を交互に行って、前記蓄積素子の電圧が所定の充電電圧となると、前記蓄積素子と前記発光素子とを接続して前記発光素子を発光させる第４の制御ステップと、を実行させることを特徴とする。
【発明の効果】
【００２９】
本発明によれば、所望のタイミングで発光させて撮影を行うことができるばかりでなく、電源に対する負荷を低減するとともに、蓄電素子に蓄電された電力を超えて発光を行うことができる。
【図面の簡単な説明】
【００３０】
【図１】本発明の第１の実施形態による発光装置の一例についてその回路構成をカメラ部とともに示す図である。
【図２】図１に示すストロボの動作を説明するためのフローチャートである。
【図３】図１に示す第１のスイッチ素子、第２のスイッチ素子、およびスイッチング素子について静止画撮影モードが設定されている際の動作を示すタイムチャートである。
【図４】図１に示す第１のスイッチ素子、第２のスイッチ素子、およびスイッチング素子について動画画撮影モードが設定されている際の動作を示すタイムチャートである。
【図５】本発明の第２の実施形態による発光装置の一例についてその回路構成をカメラ部とともに示す図である。
【図６】従来のストロボ装置の一例についてその回路構成を示す図である。
【図７】従来のストロボ装置の他の例についてその回路構成を示す図である。
【発明を実施するための形態】
【００３１】
以下、本発明の実施の形態による発光装置の一例について図面を参照して説明する。
【００３２】
［第１の実施形態］
図１は、本発明の第１の実施形態による発光装置の一例についてその回路構成をカメラ部とともに示す図である。
【００３３】
なお、図示の発光装置（以下単にストロボという）１において、図６および図７に示す構成要素と同一の構成要素については同一の参照番号を付す。また、図示のストロボ１は、第２のＣＭＯＳ１６および第３のＣＭＯＳ１７を有しているが、以下の説明では、第２のＣＭＯＳを第１のスイッチ素子と呼び、第３のＣＭＯＳを第２のスイッチ素子と呼ぶことにする。
【００３４】
図示のストロボ１は、ＬＥＤなどの発光素子２を有しており、この発光素子２は駆動回路３によって駆動される。そして、駆動回路３は第１および第２のスイッチ素子１６および１７を有している。図示の例では、蓄積素子４は、例えば、電気二重層コンデンサであり、電源５はアルカリ電池又はリチウム電池などの一次電池、ＮｉＣｄ電池、ＮｉＭＨ電池、又はＬｉ電池などの二次電池である。そして、抵抗１２である電流制御部１２が発光素子２に接続され、駆動制御部１３が第１および第２のスイッチ素子１６をオン／オフ制御する。これによって、後述するように、電源５および蓄積素子４から選択的に発光素子２に電力が供給される。
【００３５】
図２は、図１に示すストロボ１の動作を説明するためのフローチャートである。
【００３６】
電源ボタン（図示せず）を操作すると、カメラ部１０（撮像手段）が起動する。起動の際、カメラ部１０は操作部（図示せず）に備えられたモード切替スイッチの状態に応じたモードで起動する。そして、モード切替スイッチを撮影モードに設定すると、カメラ部１０は撮影モードで起動する。
【００３７】
撮影モードで起動されると、カメラ部１０（つまり、カメラ部１０に備えられたマイクロコンピュータなど）は撮影モードが静止画撮影モードであるか又は動画撮影モードであるかを確認する（ステップＳ２０１）。
【００３８】
図３は、図１に示す第１のスイッチ素子１６、第２のスイッチ素子１７、およびスイッチング素子７について静止画撮影モードが設定されている際の動作を示すタイムチャートである。
【００３９】
静止画撮影モードに設定されていると（ステップＳ２０１において、ＹＥＳ）、カメラ部１０の制御下で駆動制御部１３は第２のスイッチ素子１７のゲートにＨ信号を出力して第２のスイッチ素子１７をオンする（ステップＳ２０２）。一方、駆動制御部１３は第１のスイッチ素子１６のゲートにＬ信号を出力して第１のスイッチ素子１６をオフする。
【００４０】
これによって、電源５から、インダクタ６、ダイオード９、第２のスイッチ素子１７、および蓄電素子４で形成される閉ループに電流Ｉ１が流れて、蓄電素子４に電源５から供給される電力が蓄電（充電）される（ステップＳ２０３：ストロボ充電）。この際、チョッパ制御部１４は急速に且つ周期的にスイッチング素子７を開閉して、昇圧チョッパ回路８（昇圧手段）によって電源５の電力（電圧）を昇圧して蓄電素子４に蓄電する（図３に示す期間Ａ）。
【００４１】
なお、期間Ａを経過すると、図３に示すように、駆動制御部１３は第２のスイッチ素子１７のゲートにＬ信号を出力して第２のスイッチ素子１７をオフする。また、チョッパ制御部１４はスイッチング素子７の開閉を停止する。
【００４２】
続いて、カメラ部１０は操作部に備えられたレリーズスイッチ（図示せず）が半押しされたか否か（ＳＷ１オンか否か）を判定する（ステップＳ２０４）。ＳＷ１オンでないと（ステップＳ２０４において、ＮＯ）、カメラ部１０は待機する。一方、ＳＷ１オンであると（ステップＳ２０４において、ＹＥＳ）、カメラ部１０は既知の手法を用いて主被写体を検出して、ＡＦおよびＡＥ処理などの撮影準備を行う（ステップＳ２０５）。
【００４３】
次に、カメラ部１０はＡＥ処理の結果に応じて撮影を行う際に、ストロボ１を発光するか否かを判定する（ステップＳ２０６）。ストロボ１を発光すると判定すると（ステップＳ２０６において、ＹＥＳ）、カメラ部１０の制御下で駆動制御部１３およびチョッパ制御部１４はステップＳ２０２およびＳ２０３で説明したようにしてストロボ１に再度の充電を行う（ステップＳ２０７）。
【００４４】
続いて、カメラ部１０はレリーズスイッチが全押しされたか否か（ＳＷ２オンか否か）を判定する（ステップＳ２０８）。ＳＷ２オンでないと（ステップＳ２０８において、ＮＯ）、カメラ部１０は待機する。一方、ＳＷ２オンであると（ステップＳ２０８において、ＹＥＳ）、カメラ部１０は静止画撮影を実行する（ステップＳ２０９）。
【００４５】
この際、ストロボ発光を行う場合には、カメラ部１０の制御下で駆動制御部１３は第１のスイッチ素子１６および第２のスイッチ素子１７のゲートにＨ信号を出力して、第１のスイッチ素子１６および第２のスイッチ素子１７をオンする。チョッパ制御部１４は急速に且つ周期的にスイッチング素子７を開閉して、昇圧チョッパ回路８によって電源５の電力（電圧）を昇圧して蓄電素子４に蓄電する。さらに、蓄電素子４、第２のスイッチ素子１７、電流制限素子（制限抵抗）１２、発光素子２、および第１のスイッチ素子１６で形成される閉ループに電流Ｉ２が流れる。そして、電源５および蓄電素子４によって電力が発光素子２に供給されて発光素子２が発光する（図３に示す期間Ｂ）。
【００４６】
カメラ部１０は上述の静止画撮影によって得られた静止画データ（画像データ）を、例えば、外部記録媒体（図示せず）に記録して（ステップＳ２１０）、静止画撮影モードを終了する。
【００４７】
図４は、図１に示す第１のスイッチ素子１６、第２のスイッチ素子１７、およびスイッチング素子７について動画画撮影モードが設定されている際の動作を示すタイムチャートである。
【００４８】
ステップＳ２０１において、静止画撮影モードに設定されていないと（ステップＳ２０１において、ＮＯ）、つまり、動画撮影モードが設定されているとステップＳ２１１に進む。そして、カメラ部１０の制御下で、駆動制御部１３は第２のスイッチ素子１７のゲートにＬ信号を出力して、第２のスイッチ素子１７をオフとする。また、駆動制御部１３は第１のスイッチ素子１６のゲートにＬ信号を出力して、第１のスイッチ素子１６をオフとする。
【００４９】
続いて、カメラ部１０はレリーズスイッチがＳＷ１オンであるか否かを判定する（ステップＳ２１２）。ＳＷ１オンでないと（ステップＳ２１２において、ＮＯ）、カメラ部１０は待機する。一方、ＳＷ１オンであると（ステップＳ２１２において、ＹＥＳ）、カメラ部１０はＡＦおよびＡＥ処理などの撮影準備を行う（ステップＳ２１３）。
【００５０】
次に、カメラ部１０はＡＥ処理の結果に応じて動画撮影を行う際に、ストロボ１を発光するか否かを判定して、当該判定結果に応じたストロボ設定を行う（ステップＳ２１４）。そして、カメラ部１０はレリーズスイッチがＳＷ２オンであるか否かを判定する（ステップＳ２１５）。ＳＷ２オンでないと（ステップＳ２１５において、ＮＯ）、カメラ部１０は待機する。一方、ＳＷ２オンであると（ステップＳ２１５において、ＹＥＳ）、カメラ部１０は動画撮影を実行する（ステップＳ２１６）。
【００５１】
動画撮影においてストロボ発光を行う場合には、カメラ部１０の制御下で、駆動制御部１３は第２のスイッチ素子１７をオフ状態のままとし（つまり、非接続としたまま）、チョッパ制御部１４は急速に且つ周期的にスイッチング素子７を開閉する。そして、昇圧チョッパ回路８によって電源５の電力（電圧）を昇圧する（発光準備期間：図４において期間Ｃ）。
【００５２】
所定の昇圧電圧まで昇圧されると、駆動制御部１３は第１のスイッチ素子１６のゲートにＨ信号を出力して、第１のスイッチ素子１６をオンとし、昇圧電圧を発光素子２に印加する。なお、ここで、所定の昇圧電圧とは、発光素子２に発光電流を流した際に、制限抵抗１２、ダイオード９、および第１のスイッチ素子１６で生じる電圧降下以上の電圧である。
【００５３】
第１のスイッチ素子１６のオンによって、電源５、インダクタ６、ダイオード９、制限抵抗１２、発光素子２、および第１のスイッチ素子１６で形成される閉ループに電流Ｉ３が流れる。これによって、電源５から電力が発光素子２に供給されて発光素子２が発光する（発光制御：図４において期間Ｄ）。
【００５４】
動画撮影の際において、カメラ部１０が露光を行っていない期間になると、駆動制御部１３は第２のスイッチ素子１７のゲートにＨ信号を出力して、第２のスイッチ素子１７をオンする。一方、駆動制御部１３は第１のスイッチ素子１６のゲートにＬ信号を出力して、第１のスイッチ素子１６をオフとする。
【００５５】
これによって、電源５から、インダクタ６、ダイオード９、第２のスイッチ素子１７、および蓄電素子４で形成される閉ループに電流Ｉ１が流れて、蓄電素子４は電池電源５から供給される電力を蓄電する。この際には、チョッパ制御部１４は急速に且つ周期的にスイッチング素子７を開閉して、昇圧チョッパ回路８によって電源５の電力（電圧）を昇圧して蓄電素子４に蓄電する（充電制御：図４において期間Ｅ）。
【００５６】
上述のようにして、動画撮影の際には図４に示す期間Ｄおよび期間Ｅが繰り返される（つまり、交互に行われる）。そして、蓄電素子４が所定の充電電圧まで充電されると、カメラ部１０の制御下で駆動制御部１３は第２のスイッチ素子１７のゲートにＨ信号を出力して、第２のスイッチ素子１７をオンする。ここで、所定の充電電圧とは、発光素子２に発光電流を流した際、制限抵抗１２、ダイオード９および第１のスイッチ素子１６で生じる電圧降下以上の電圧である。同時に、駆動制御部１３は第１のスイッチ素子１６のゲートにＨ信号を出力して、第１のスイッチ素子１６をオンとする。
【００５７】
この際、チョッパ制御部１４は急速に且つ周期的にスイッチング素子７を開閉して、昇圧チョッパ回路８によって電源５の電力（電圧）を昇圧して蓄電素子４に蓄電する。これによって、蓄電素子４、第２のスイッチ素子１７、制限抵抗１２、発光素子２、および第１のスイッチ素子１６で形成される閉ループに電流Ｉ４が流れる。そして、電源５および蓄電素子４によって電力を発光素子２に供給されて、発光素子２が発光する（図４において期間Ｆ）。
【００５８】
このように、本発明の第１の実施形態では、ストロボ発光を伴う動画撮影を行う際、撮影開始時には、昇圧チョッパ回路８と蓄電素子４との接続をオフして、電源電圧を昇圧チョッパ回路８で昇圧して発光素子４に供給する。そして、動画撮影の際に露光を行っていない期間において、昇圧チョッパ回路８と蓄電素子４との接続をオンとして蓄電素子４を充電する。その後、所定の充電電圧まで充電が行われると、電源５および蓄電素子４から電力を発光素子２に供給する。
【００５９】
これによって、ストロボ発光を伴う動画撮影の際に、電源５から蓄電素子４の電力補助が得られるにも拘わらず、発光素子２を点灯するまでの時間を短縮することができる。この結果、電源に対する負荷を低減して、蓄電素子に蓄電された電力を超えて発光を行うことができる。
【００６０】
［第２の実施形態］
次に、本発明の第２の実施形態による発光装置の一例について説明する。
【００６１】
図５は、本発明の第２の実施形態による発光装置の一例についてその回路構成をカメラ部とともに示す図である。なお、図５において、図１に示すストロボ１と同一の構成要素については同一の参照番号を付して説明を省略する。
【００６２】
図５に示すストロボ５１は、第２のスイッチ素子１７および蓄電素子４が昇圧チョッパ回路８の入力側に配置されている。つまり、昇圧チョッパ回路８は、蓄積素子４の後段において蓄積素子４と発光素子２との間に配置されている。そして、静止画撮影および動画撮影の際には、それぞれ図３および図４で説明したようにして第１のスイッチ素子１６、第２のスイッチ素子１７、およびスイッチング素子７がオン／オフ制御される。
【００６３】
図５に示すストロボ５１では、電源５および蓄積素子４からの電力は昇圧チョッパ回路８で昇圧された発光素子２に供給されることになる。
【００６４】
本発明の第２の実施形態においても、第１の実施形態と同様に、電源に対する負荷を低減して、蓄電素子に蓄電された電力を超えて発光を行うことができる。
【００６５】
上述の説明から明らかなように、図１に示す例においては、駆動制御部１３、チョッパ制御部１４、第１のスイッチ素子１６、第２のスイッチ素子１７、およびスイッチング素子７が制御手段として機能する。
【００６６】
以上、本発明について実施の形態に基づいて説明したが、本発明は、これらの実施の形態に限定されるものではなく、この発明の要旨を逸脱しない範囲の様々な形態も本発明に含まれる。
【００６７】
例えば、上記の実施の形態の機能を制御方法として、この制御方法を発光装置に実行させるようにすればよい。また、上述の実施の形態の機能を有するプログラムを制御プログラムとして、当該制御プログラムを発光装置が備えるコンピュータに実行させるようにしてもよい。なお、制御プログラムは、例えば、コンピュータに読み取り可能な記録媒体に記録される。
【００６８】
上記の制御方法および制御プログラムの各々は、少なくとも第１の制御ステップ、第２の制御ステップ、第３の制御ステップ、および第４の制御ステップを有している。
【００６９】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【００７０】
２  発光素子
３  駆動回路
４  蓄電素子
５  電源
７  スイッチング素子
８  昇圧チョッパ回路
１０  カメラ部
１３  駆動制御部
１４  チョッパ制御部
１６，１７  スイッチ素子（ＣＭＯＳ）
【図１】
2015052646.tif 000003
【図２】
2015052646.tif 000004
【図３】
2015052646.tif 000005
【図４】
2015052646.tif 000006
【図５】
2015052646.tif 000007
【図６】
2015052646.tif 000008
【図７】
2015052646.tif 000009